(57)【要約】【課題】ライブビュー表示の際にピンボケ画像が表示されるのを防ぐ。【解決手段】撮影レンズによる像を撮像して得られた画像を表示可能な表示手段と、前記表示手段による前記画像の表示を指示する表示指示手段と、前記撮影レンズの焦点調節状態を検出し、該焦点調節状態に基づいて前記撮影レンズの焦点調節を行う焦点調節制御手段と、前記表示指示手段による前記画像の表示の指示が為された場合に、前記焦点調節制御手段によって前記撮影レンズの焦点調節を行い、該焦点調節を行った状態で得られた前記画像を前記表示手段に表示する制御手段とを備える。【選択図】図１
2008185611.tif 000002
【特許請求の範囲】
【請求項１】
撮影レンズによる像を撮像して得られた画像を表示可能な表示手段と、
前記表示手段による前記画像の表示を指示する表示指示手段と、
前記撮影レンズの焦点調節状態を検出し、該焦点調節状態に基づいて前記撮影レンズの焦点調節を行う焦点調節制御手段と、
前記表示指示手段による前記画像の表示の指示が為された場合に、前記焦点調節制御手段によって前記撮影レンズの焦点調節を行い、該焦点調節を行った状態で得られた前記画像を前記表示手段に表示する制御手段とを備えたことを特徴とする撮像装置。
【請求項２】
請求項１に記載の撮像装置において、
前記焦点調節制御手段は、前記焦点調節状態によらず手動操作によって前記撮影レンズの焦点調節を行うように設定可能であり、
前記制御手段は、前記焦点調節制御手段が前記手動操作による焦点調節を行うように設定されている状態で前記表示指示手段による前記画像の表示の指示が為された場合は、前記焦点調節状態に基づく焦点調節を行うように前記焦点調節制御手段の設定を変更することを特徴とする撮像装置。
【請求項３】
請求項１または２に記載の撮像装置において、
前記焦点調節制御手段は、前記撮影レンズによる画面内の複数の位置における複数の前記焦点調節状態を検出して該複数の焦点調節状態からいずれかの焦点調節状態を選択可能であり、
前記制御手段は、前記焦点調節制御手段により前記複数の焦点調節状態から選択した焦点調節状態に基づいて前記焦点調節を行った状態で得られた前記画像を前記表示手段に表示することを特徴とする撮像装置。
【請求項４】
請求項３に記載の撮像装置において、
前記撮影レンズによる像を観察するための接眼部と、
前記接眼部を撮影者が覗いたか否かを検出する検出部とをさらに備え、
前記制御手段は、前記検出部によって前記接眼部を撮影者が覗いていないことを検出した状態で、前記表示指示手段による前記画像の表示の指示が為された場合に、前記複数の焦点調節状態から選択した焦点調節状態に基づいて前記焦点調節を行った状態で得られた前記画像を前記表示手段に表示することを特徴とする撮像装置。
【請求項５】
請求項３または４に記載の撮像装置において、
前記表示手段は、前記撮影レンズによる画面内の複数の位置のうち、前記焦点調節制御手段によって選択された焦点調節状態が検出された位置を表示することを特徴とする撮像装置。
【請求項６】
請求項１〜５いずれか一項に記載の撮像装置において、
前記画像のコントラストに関する値に基づいて前記撮影レンズの焦点調節状態を検出する第２の焦点調節制御手段をさらに備え、
前記第２の焦点調節制御手段は、前記焦点調節制御手段によって焦点調節を行った状態を基準として前記焦点調節状態を検出することを特徴とする撮像装置。
【発明の詳細な説明】
【技術分野】
【０００１】
本発明は、撮影レンズの焦点調節を行う撮像装置に関する。
【背景技術】
【０００２】
従来、一眼レフ方式のデジタルカメラにおいてライブビュー表示を行う際に、クイックリターンミラーを撮像光学系から退避させ、その状態で得られた画像を表示するものが知られている（特許文献１参照）。
【０００３】
【特許文献１】特開２００１−２７２５９３号公報
【発明の開示】
【発明が解決しようとする課題】
【０００４】
上記で説明した従来のカメラにおいてライブビュー表示による画像を表示する際には、表示する画像に基づいてコントラスト検出方式のオートフォーカス処理を実行することにより、撮影レンズの焦点調節が行われる。したがって、ライブビュー表示の直後では、未だ撮影レンズの焦点調節が行われていないため、ピンボケ画像が表示されることがある。
【課題を解決するための手段】
【０００５】
本発明による撮像装置は、撮影レンズによる像を撮像して得られた画像を表示可能な表示手段と、表示手段による画像の表示を指示する表示指示手段と、撮影レンズの焦点調節状態を検出し、該焦点調節状態に基づいて撮影レンズの焦点調節を行う焦点調節制御手段と、表示指示手段による画像の表示の指示が為された場合に、焦点調節制御手段によって撮影レンズの焦点調節を行い、焦点調節を行った状態で得られた画像を表示手段に表示する制御手段とを備えたものである。
請求項２の発明は、請求項１に記載の撮像装置において、焦点調節制御手段は、焦点調節状態によらず手動操作によって撮影レンズの焦点調節を行うように設定可能であり、制御手段は、焦点調節制御手段が手動操作による焦点調節を行うように設定されている状態で表示指示手段による画像の表示の指示が為された場合は、焦点調節状態に基づく焦点調節を行うように焦点調節制御手段の設定を変更するものである。
請求項３の発明は、請求項１または２に記載の撮像装置において、焦点調節制御手段は、撮影レンズによる画面内の複数の位置における複数の焦点調節状態を検出して該複数の焦点調節状態からいずれかの焦点調節状態を選択可能であり、制御手段は、焦点調節制御手段により複数の焦点調節状態から選択した焦点調節状態に基づいて焦点調節を行った状態で得られた画像を表示手段に表示するものである。
請求項４の発明は、請求項３に記載の撮像装置において、撮影レンズによる像を観察するための接眼部と、接眼部を撮影者が覗いたか否かを検出する検出部とをさらに備える。この撮像装置において、制御手段は、検出部によって接眼部を撮影者が覗いていないことを検出した状態で、表示指示手段による画像の表示の指示が為された場合に、複数の焦点調節状態から選択した焦点調節状態に基づいて焦点調節を行った状態で得られた画像を表示手段に表示するものである。
請求項５の発明は、請求項３または４に記載の撮像装置において、表示手段は、撮影レンズによる画面内の複数の位置のうち、焦点調節制御手段によって選択された焦点調節状態が検出された位置を表示するものである。
請求項６の発明は、請求項１〜５いずれか一項に記載の撮像装置において、画像のコントラストに関する値に基づいて撮影レンズの焦点調節状態を検出する第２の焦点調節制御手段をさらに備える。この撮像装置において、第２の焦点調節制御手段は、焦点調節制御手段によって焦点調節を行った状態を基準として焦点調節状態を検出するものである。
【発明の効果】
【０００６】
本発明によれば、ライブビュー表示の際にピンボケ画像が表示されるのを防ぐことができる。
【発明を実施するための最良の形態】
【０００７】
―第１の実施形態―
本発明の一実施形態による焦点調節装置を備えた一眼レフ方式のデジタルカメラについて、以下に説明する。このカメラは、位相差検出方式のオートフォーカス（以下、位相差ＡＦと称する）と、コントラスト検出方式のオートフォーカス（以下、コントラストＡＦと称する）とを併用したハイブリッドＡＦにより、撮影レンズの焦点調節を行うものである。なお、位相差ＡＦは、撮影レンズの異なる領域を通過した２つの光束による一対の像の位置関係に基づいて撮影レンズのデフォーカス量を検出し、その検出結果に基づいて焦点調節を行うオートフォーカスの方式である。一方、コントラストＡＦは、撮影レンズによる像のコントラストに関する値を検出し、その検出結果に基づいて焦点調節を行うオートフォーカスの方式である。
【０００８】
さらに本実施形態のカメラは、撮影者からの指示に応じて、撮影レンズから撮像素子への光路上に存在するクイックリターンミラーを退避させ、その状態で撮像素子により得られた被写体の画像を液晶ディスプレイに表示する。これにより、撮影者はファインダーを覗かなくても撮影前に構図を確認することができる。このようにして被写体の画像を表示することを、以下ではライブビュー表示と称する。
【０００９】
図１は、本実施形態のカメラの要部構成を説明するブロック図である。カメラボディ１には、撮影レンズを備えるレンズ鏡筒２が交換可能に装着されている。レンズ鏡筒２内には、撮影レンズ２０１ａ〜２０１ｃと、ＡＦ駆動モータ２０２と、絞り部材２０３とが設けられている。撮影レンズ２０１ｂは、ＡＦ駆動モータ２０２により駆動される焦点調節レンズである。
【００１０】
カメラボディ１の内部には、位相差ＡＦ検出素子１０１、ＡＦ−ＣＣＤ制御部１０２、焦点検出演算部１０３、コントラスト演算部１０４、撮像素子１０５、クイックリターンミラー１０６、サブミラー１０７、ファインダースクリーン１０８、ペンタプリズム１０９、接眼レンズ１１０および接眼部１１１が設けられている。なお、ＡＦ−ＣＣＤ制御部１０２、焦点検出演算部１０３およびコントラスト演算部１０４は、ＣＰＵ、ＲＯＭ、ＲＡＭ、各種周辺回路等によって構成される制御回路１００の機能により実現されるものである。
【００１１】
位相差ＡＦ検出素子１０１は、不図示のマスク部、再結像レンズ、複数位置に配置されたＡＦ用のＣＣＤラインセンサなどを有している。この位相差ＡＦ検出素子１０１には、撮影レンズ２０１ａ〜２０１ｃを通して入射され、クイックリターンミラー１０６を透過してサブミラー１０７により反射された被写体からの光束が入力される。この入射光束をマスク部により撮影レンズの異なる領域を通過する２つの光束に分けた後、再結像レンズにより一対の被写体像をＣＣＤラインセンサ上に再結像し、その像位置の検出結果を表す像信号をＣＣＤラインセンサから出力する。
【００１２】
位相差ＡＦ検出素子１０１においてＣＣＤラインセンサ上に再結像される一対の被写体像は、撮影レンズ２０１ａ〜２０１ｃが予定焦点面よりも前に被写体の鮮鋭像を結ぶいわゆる前ピン状態では互いに近づき、逆に予定焦点面より後ろに被写体の鮮鋭像を結ぶいわゆる後ピン状態では互いに遠ざかる。また、撮影レンズ２０１ａ〜２０１ｃが予定焦点面において被写体の鮮鋭像を結ぶ合焦状態では、一対の被写体像が相対的に一致する。したがって、上記のように一対の被写体像を再結像し、その像位置をＣＣＤラインセンサによって検出することにより、撮影レンズ２０１ａ〜２０１ｃからの入射光束に基づいて、撮影レンズ２０１ａ〜２０１ｃの焦点調節状態が検出される。
【００１３】
ＡＦ−ＣＣＤ制御部１０２は、位相差ＡＦ検出素子１０１に設けられたＣＣＤラインセンサのゲイン量や蓄積時間を制御する。また、撮影レンズ２０１ａ〜２０１ｃからの入射光束による像面内に設定された複数の焦点検出エリアの中から、いずれかの焦点検出エリアを選択する。そして、選択した焦点検出エリアにおける像信号を位相差ＡＦ検出素子１０１のＣＣＤラインセンサから読み出し、焦点検出演算部１０３へ出力する。
【００１４】
焦点検出演算部１０３は、ＡＦ−ＣＣＤ制御部１０２によって読み出されたＣＣＤラインセンサの出力値に基づいて、撮影レンズ２０１ａ〜２０１ｃの焦点調節状態（ピントのずれ量）を表すデフォーカス量を算出する。そして、算出したデフォーカス量に基づいて焦点調節レンズ２０１ｂの駆動量を決定し、ＡＦ駆動モータ２０２へ駆動制御信号を出力する。この駆動制御信号に応じて、ＡＦ駆動モータ２０２が焦点調節レンズ２０１ｂを駆動することにより、位相差ＡＦによる撮影レンズ２０１ａ〜２０１ｃの焦点調節が行われる。
【００１５】
コントラスト演算部１０４は、撮像素子１０５から出力される撮像信号から高周波成分を除去して周知の焦点評価値演算を行うことにより、被写体画像のコントラストに応じた焦点評価値を算出する。撮影レンズ２０１ａ〜２０１ｃが撮像素子１０５上に鮮鋭像を結ぶ合焦状態では、被写体像のエッジのボケが最小となりコントラストは最大になるので、焦点評価値も最大となる。そして、算出した焦点評価値に基づいて焦点調節レンズ２０１ｂの駆動量を決定し、焦点検出演算部１０３と同様に、ＡＦ駆動モータ２０２へ駆動制御信号を出力する。この駆動制御信号に応じてＡＦ駆動モータ２０２が焦点調節レンズ２０１ｂを駆動することにより、コントラストＡＦによる撮影レンズ２０１ａ〜２０１ｃの焦点調節が行われる。
【００１６】
撮像素子１０５は、ＣＣＤやＣＭＯＳ等が使用される。撮影レンズ２０１ａ〜２０１ｃと撮像素子１０５との間には、撮影レンズ２０１ａ〜２０１ｃを通過した被写体からの入射光束をファインダー光学系へと反射するクイックリターンミラー１０６が配設されている。入射光束の一部はクイックリターンミラー１０６の半透過領域を透過し、サブミラー１０７にて下方に反射された後に位相差式ＡＦ検出素子１０１へ入射される。
【００１７】
クイックリターンミラー１０６で反射された入射光束は、撮像素子１０５と光学的に等価な位置に設けられたファインダースクリーン１０８上に被写体像を結像する。ファインダースクリーン１０８上に結像された被写体像は、ペンタプリズム１０９から接眼レンズ１１０を通って、接眼部１１１に導かれる。撮影者は、この接眼部１１１を覗いて被写体像を視認することで、撮影前に構図を確認することができる。
【００１８】
なお、カメラボディ１において撮影またはライブビュー表示を行う際には、クイックリターンミラー１０６およびサブミラー１０７が光路上から光路外へと移動され、入射光束により撮像素子１０５上に被写体像が結像される。この被写体像を撮像素子１０５により撮像することで撮像画像が取得され、不図示のメモリーカードに記録される。こうしたクイックリターンミラー１０６およびサブミラー１０７の動作は、制御回路１００により制御される。
【００１９】
以上説明した実施の形態によるカメラには、不図示のＭＦ／ＡＦ切替スイッチが備えられている。撮影者は、これを操作することにより、焦点調節モードをＭＦモードとＡＦモードのいずれかに選択することができる。ＭＦモードはマニュアル焦点調節モードであり、この焦点調節モードが選択された場合、撮影レンズ２０１ａ〜２０１ｃの焦点調節は撮影者の手動操作により行われる。一方、ＡＦモードは自動焦点調節モードであり、この焦点調節モードが選択された場合、撮影レンズ２０１ａ〜２０１ｃの焦点調節がカメラにより自動的に行われる。
【００２０】
また、本実施形態のカメラには、不図示のＡＦモード切替スイッチが備えられている。撮影者は、これを操作することにより、ＡＦモードをさらにシングルＡＦ（ＡＦ−Ｓ）モードまたはコンティニュアスＡＦ（ＡＦ−Ｃ）モードのいずれかに設定することができる。ＡＦ−Ｓモードでは、撮像画像を取得する際に撮影者がレリーズボタンを半押しすると、撮影レンズの焦点調節を行い、合焦した後はピントを固定する。ＡＦ−Ｃモードでは、合焦後も繰り返し焦点調節を行い、レリーズボタンの半押し中に被写体が動くと、その動きに応じてピントを連続的に調節する。なお、撮影者がＡＦモード切替スイッチを操作しなくても、被写体の動きに応じてＡＦ−ＳモードとＡＦ−Ｃモードを自動的に切り替えるようにしてもよい。
【００２１】
なお、以上説明したＭＦ／ＡＦ切替スイッチとＡＦモード切替スイッチは、機械的なスイッチに限定されない。たとえば、メニュー画面で切り替える形式でもよい。
【００２２】
以上説明したカメラの背面図を図２に示す。カメラボディ１の背面には、前述の接眼部１１１と共に、液晶ディスプレイ（ＬＣＤ）１１２、ライブビュー実行スイッチ１１３およびスイッチ群１１４が設けられている。ＬＣＤ１１２は、撮影者の操作等に応じて各種の画面表示を行う。たとえば、メニュー画面や、メモリーカードに記録された撮像画像などが、ＬＣＤ１１２に表示される。またライブビュー表示の際には、前述したように被写体の画像がＬＣＤ１１２に表示される。
【００２３】
ライブビュー実行スイッチ１１３は、ライブビュー表示を行うためのスイッチである。このスイッチが撮影者により操作されて画像表示の指示が為されると、前述のようにクイックリターンミラー１０６およびサブミラー１０７を光路上から退避し、撮像素子１０５により取得した被写体の画像をＬＣＤ１１２に表示してライブビュー表示を行う。
【００２４】
スイッチ群１１４は、ライブビュー表示以外の各種の動作を実行するためのスイッチ類であり、たとえば、記録された撮影画像を表示するための再生ボタン、撮影画像を消去するための削除ボタン、メニュー画面を表示するためのメニューボタン、カーソルキー等が含まれる。このスイッチ群１１４に含まれるスイッチ類は、本発明には直接関係しないため、詳細な説明を省略する。
【００２５】
撮影レンズ２０１ａ〜２０１ｃからの入射光束による像面内には、図３（ａ）に示すように、１１点の焦点検出エリアａ〜ｋが設定されている。この焦点検出エリアａ〜ｋは、ファインダーにおいては被写体像に重ねて表示される。また、ライブビュー表示の際にはＬＣＤ１１２において被写体の画像に重ねて表示することもできる。
【００２６】
撮影レンズ２０１ａ〜２０１ｃの焦点調節を行う際には、焦点検出エリアａ〜ｋのいずれかが選択される。すると、各焦点検出エリアにおいて検出した複数のデフォーカス量から、選択した焦点検出エリアに対応するいずれかのデフォーカス量が選択される。こうして選択されたデフォーカス量に基づいて撮影レンズ２０１ａ〜２０１ｃの焦点調節が行われることにより、撮影レンズ２０１ａ〜２０１ｃが合焦状態となる。したがって、撮影レンズ２０１ａ〜２０１ｃが合焦状態となったときに選択されていた焦点検出エリアのことを、以下では合焦エリアとも言う。
【００２７】
焦点検出エリアの選択は、撮影者が手動で行うことができる。あるいは、カメラにおいて撮影状況に応じて最適な焦点検出エリアを自動的に選択することもできる。たとえば、最も至近側を示すデフォーカス量を検出する焦点検出エリアが自動的に選択される。いずれの方法で焦点検出エリアが選択された場合でも、その焦点検出エリアの周囲には枠が表示される。図３（ｂ）は、焦点検出エリアａ〜ｋの全てを枠で囲って表示した例を示している。なお、実際には選択された焦点検出エリアの周囲のみが枠で囲まれる。また、ライブビュー表示の際には、焦点検出エリアａ〜ｋを表示せずに、選択された焦点検出エリアの枠のみを被写体の画像に重ねて表示することもできる。
【００２８】
次に、ライブビュー表示を行う際の処理について説明する。図４は、ライブビュー表示のフローチャートを示している。このフローチャートは、カメラボディ１の電源が投入されることにより、制御回路１００において実行開始される。
【００２９】
ステップＳ１０１では、ライブビュー実行スイッチ１１３が操作されることにより、撮影者からライブビュー表示を指示されているか否かを判定する。ライブビュー実行スイッチ１１３が操作されてライブビュー表示を指示されている場合、次のステップＳ１０２へ進む。ステップＳ１０２では、位相差ＡＦを行う。このとき、光路上に置かれたクイックリターンミラー１０６およびサブミラー１０７により、撮影レンズ２０１ａ〜２０１ｃからの入射光束を位相差ＡＦ検出装置１０１に導いて、各焦点検出エリアに対応するデフォーカス量を求める。そして、選択した焦点検出エリアに対して求められたデフォーカス量に基づいて、焦点検出演算部１０３により撮影レンズ２０１ａ〜２０１ｃの焦点調節を行う。
【００３０】
ステップＳ１０３では、クイックリターンミラー１０６およびサブミラー１０７の動作を制御して光路上から退避させる。これにより、撮影レンズ２０１ａ〜２０１ｃからの入射光束が撮像素子１０５に導かれる。次のステップＳ１０４では、ライブビュー表示をオンとして、撮像素子１０５により取得された被写体の画像をＬＣＤ１１２に表示させる。
【００３１】
なお、以上説明したステップＳ１０２〜Ｓ１０４の処理は、焦点調節モードの設定状態に関わらず行われる。すなわち、カメラにおいてＭＦモードが設定されている状態や、ＡＦ−Ｓモードが設定されている状態であっても、ライブビュー実行スイッチ１１３が撮影者に操作されてライブビュー表示の指示が為された場合は、ステップＳ１０２において位相差ＡＦにより撮影レンズ２０１ａ〜２０１ｃの焦点調節を行うように、焦点検出演算部１０３の設定を変更する。その後に、ステップＳ１０３において撮影レンズ２０１ａ〜２０１ｃからの入射光束を撮像素子１０５に導いて、ステップＳ１０４においてＬＣＤ１１２に被写体の画像を表示させる。
【００３２】
ステップＳ１０５では、ステップＳ１０２の位相差ＡＦの結果による合焦判定を行う。ステップＳ１０２において撮影レンズ２０１ａ〜２０１ｃの焦点調節が適切に行われた場合は、合焦していると判定してステップＳ１０６へ進む。一方、ステップＳ１０２においてデフォーカス量を正しく算出できずに焦点調節が適切に行われなかった場合は、非合焦であると判定してステップＳ１０７へ進む。
【００３３】
ステップＳ１０５において合焦していると判定された場合、ステップＳ１０６では、位相差ＡＦの合焦エリア、すなわちステップＳ１０２の位相差ＡＦにおいて選択した焦点検出エリアを、ＬＣＤ１１２において被写体の画像上に表示させる。このときのＬＣＤ１１２の表示画面例を図５に示す。この図５の画面例では、焦点検出エリアａ〜ｋのうち、被写体で最も手前側に位置している人物３００に対応する位置の焦点検出エリアｉ、ｊおよびｋが合焦エリアとして表示されている。
【００３４】
一方、ステップＳ１０５において非合焦であると判定された場合、ステップＳ１０７では、非合焦である旨を示す表示をＬＣＤ１１２において行う。このときのＬＣＤ１１２の表示画面例を図６に示す。この図６の画面例では、焦点検出エリアａ〜ｋの全てを点滅表示させることにより、非合焦である旨を表示している。
【００３５】
ステップＳ１０８では、コントラストＡＦを実行するための焦点検出エリアの初期位置を設定し、設定した初期位置をＬＣＤ１１２において表示する。このときの表示画面例を図７に示す。図７（ａ）は、ステップＳ１０５において合焦状態であると判定された場合の画面例である。この図７（ａ）では、前述の合焦エリアｉ、ｊおよびｋのうち、焦点検出エリアｉが初期位置として最適であると判断されたときの画面例を示している。このとき、たとえば合焦エリアのうちで最至近のデフォーカス量を示す焦点検出エリアが、初期位置として最適な焦点検出エリアであると判断される。一方、図７（ｂ）は、ステップＳ１０５において非合焦状態であると判定された場合の画面例である。この画面例では、中央に位置する焦点検出エリアｆが初期位置として設定されている。
【００３６】
ステップＳ１０９では、撮像素子１０５により取得された被写体の画像に基づいてコントラストＡＦを行う。このとき、ステップＳ１０２で位相差ＡＦによる焦点調節を行った状態を基準として撮影レンズ２０１ａ〜２０１ｃの焦点調節状態を検出し、コントラストＡＦによる焦点調節を行う。具体的には、焦点調節レンズ２０１ｂをステップＳ１０２で定められた位置から所定幅だけ前後に動かし、そのとき初期位置とされた焦点検出エリアにおいて生じる画像のコントラストの変化を、コントラスト演算部１０４における焦点評価値の変化として求める。そして、求められた焦点評価値の変化、すなわちコントラストの変化に基づいて、撮影レンズ２０１ａ〜２０１ｃの焦点調節を行う。これにより、ステップＳ１０２で位相差ＡＦによる焦点調節を行った後に、さらにコントラストＡＦによる焦点調節が行われる。
【００３７】
以上説明したステップＳ１０１〜Ｓ１０９の処理を実行したら、図４のフローチャートを終了する。
【００３８】
なお、ステップＳ１０６において位相差ＡＦの合焦エリアを表示する際には、図５の画面例で説明したのとは異なる形態により表示することとしてもよい。その例を図８および図９に示す。図８は、たとえば最至近のデフォーカス量を示すなどの理由により、合焦エリアｉ、ｊおよびｋのうち最適であると判断された合焦エリアｉのみを枠で囲って表示した例を示している。一方、図９は、最適であると判断された合焦エリアｉに対する枠と、それ以外の合焦エリアｊ、ｋに対する枠とを、異なる表示形態により表示した例を示している。なお、図８および図９では、表示内容が分かりやすいように人物３００の付近を拡大して示している。
【００３９】
なお、これまでに説明した合焦エリアの表示方法や、非合焦である旨を示す表示の方法は、あくまで一例である。したがって、説明した内容の他にも様々な表示方法を用いることが可能である。
【００４０】
以上説明した実施の形態によれば、次の作用効果を奏することができる。
（１）ライブビュー実行スイッチ１１３が撮影者によって操作され、ライブビュー表示の指示、すなわちＬＣＤ１１２による被写体画像の表示の指示が為された場合に（ステップＳ１０１）、焦点検出演算部１０３によって撮影レンズ２０１ａ〜２０１ｃの焦点調節を位相差ＡＦにより行い（ステップＳ１０２）、その状態で得られた画像をＬＣＤ１１２に表示する（ステップＳ１０４）こととした。このようにしたので、ライブビュー表示の際にピンボケ画像が表示されるのを防ぐことができる。
【００４１】
（２）手動操作によって焦点調節を行うＭＦモードが設定されている状態で、ライブビュー実行スイッチ１１３が操作されてライブビュー表示の指示が為された場合は、位相差ＡＦを実施して検出したデフォーカス量に基づく焦点調節を行うように、焦点検出演算部１０３の設定を変更することとした。このようにしたので、焦点調節モードの設定状態に関わらず、ライブビュー表示の際にピンボケ画像が表示されるのを防ぐことができる。
【００４２】
（３）ステップＳ１０２で位相差ＡＦによる焦点調節を行う際には、撮影レンズによる画面内の複数の位置に対応する焦点検出エリアａ〜ｋにおける複数のデフォーカス量を検出して、その複数のデフォーカス量からいずれかのデフォーカス量を選択する。そして、選択したデフォーカス量に基づいて焦点調節を行った状態で得られた被写体の画像を、ステップＳ１０４においてＬＣＤ１１２に表示することとした。このようにしたので、カメラからの距離が異なる様々な被写体がある場合でも、適切に焦点調節を行ってライブビュー表示を実行することができる。
【００４３】
（４）ＬＣＤ１１２は、ステップＳ１０２で行う位相差ＡＦの際に選択されたデフォーカス量が検出された位置の焦点検出エリアを、ライブビュー表示の際に合焦エリアとして表示することとした（ステップＳ１０６）。このようにしたので、ライブビュー表示の際に画面内のどの位置に焦点が合わせられているかを撮影者に知らせることができる。
【００４４】
（５）ステップＳ１０２で位相差ＡＦによる焦点調節を行った状態を基準として、撮影レンズ２０１ａ〜２０１ｃ焦点調節状態を検出し、コントラストＡＦによる焦点調節をさらに行うこととした（ステップＳ１０９）。このようにしたので、ライブビュー表示の際に表示される画像のピントを一層正確に、かつ素早く合わせることができる。
【００４５】
―第２の実施形態―
次に、本発明の第２の実施の形態による焦点調節装置を備えた一眼レフ方式のデジタルカメラについて、以下に説明する。本実施形態のカメラは、図１のブロック図に示す第１の実施の形態によるカメラの構成に加えて、さらに接眼部１１１を撮影者が覗いたか否かを検出する機構を有している。このような検出機構は、たとえば、顔の接触を検出するセンサを接眼部１１１に設けたり、あるいは、眼球からの反射光を検出するセンサをファインダー内に設けたりすることで実現される。これ以外にも、様々な方法により撮影者が接眼部１１１を覗いたか否かを検出することができる。
【００４６】
本実施形態のカメラにおいてライブビュー表示を行う際に実行される処理のフローチャートを図１０に示す。このフローチャートでは、図４に示した第１の実施の形態において実行されるフローチャートと同じ処理については、同一のステップ番号を付している。この同一ステップ番号の処理については、以下において説明を省略する。
【００４７】
ステップＳ３０１では、前述したような検出機構による検出結果に基づいて、接眼部１１１を撮影者が覗いたか否かを判定する。接眼部１１１を撮影者が覗いたことが検出された場合はステップＳ３０２へ進み、検出されなかった場合はステップＳ３０３へ進む。
【００４８】
ステップＳ３０２へ進んだ場合、ステップＳ３０２では、カメラの設定に従った位相差ＡＦを行う。この場合、カメラにおいて予め指定された焦点検出エリアのデフォーカス量に基づいて撮影レンズ２０１ａ〜２０１ｃの焦点調節を行う。ここでいう予め指定された焦点検出エリアとは、撮影者が手動で焦点検出エリアを選択していた場合は、その焦点検出エリアが該当する。また、焦点検出エリアを自動的に選択するよう設定されていた場合は、所定の選択条件に合致する焦点検出エリアが該当する。たとえば、前述のように最も手前側に位置している被写体と重なる焦点検出エリアなどがこれに該当する。このステップＳ３０２を実行することにより、撮影者が接眼部１１１を覗いている状態でライブビュー表示を指示した場合は、そのファインダー像と同じピント状態で被写体の画像をライブビュー表示することができる。
【００４９】
一方、ステップＳ３０３へ進んだ場合、ステップＳ３０３では、自動選択による位相差ＡＦを行う。この場合は、前述のステップＳ３０２において焦点検出エリアを自動的に選択するよう設定されていた場合と同様に、所定の選択条件に合致する焦点検出エリアのデフォーカス量を選択する。そして、選択したデフォーカス量に基づいて撮影レンズ２０１ａ〜２０１ｃの焦点調節を行う。
【００５０】
以上説明したステップＳ３０２またはＳ３０３のいずれかを実行したら、ステップＳ１０３へ進む。ステップＳ１０３以降では、図４で説明したのと同様の処理を実行する。全ての処理を実行したら、図１０のフローチャートを終了する。
【００５１】
以上説明した第２の実施の形態によれば、接眼部１１１を撮影者が覗いたか否かを検出する。そして、接眼部１１１を撮影者が覗いていないことを検出した状態で、ライブビュー実行スイッチ１１３が操作されてライブビュー表示の指示が為された場合には、自動選択による位相差ＡＦを行う（ステップＳ３０３）。このとき、各焦点検出エリアにおける複数のデフォーカス量を検出して、その複数のデフォーカス量からいずれかのデフォーカス量を選択し、選択したデフォーカス量に基づいて撮影レンズ２０１ａ〜２０１ｃの焦点調節を行う。この状態で得られた被写体の画像を、ステップＳ１０４においてＬＣＤ１１２に表示することとした。このようにしたので、撮影者がファインダー像を見ないでライブビュー表示する場合でも、ピンボケ画像が表示されるのを防ぐことができる。
【００５２】
なお、以上説明した各実施の形態では、ライブビュー表示の際には位相差ＡＦを行った後に必ずコントラストＡＦを行うこととしていたが、位相差ＡＦのみを行うこととしてコントラストＡＦを省略してもよい。さらにその場合、位相差ＡＦのみを行うカメラに適用することもできる。あるいは、ライブビュー表示の際に位相差ＡＦの代わりにコントラストＡＦのみを行うカメラとしてもよい。
【００５３】
また、以上説明した各実施の形態では、カメラボディ１の背面に設けられたライブビュー実行スイッチ１１３が操作されることにより、ライブビュー表示の指示が行われる例を説明した。しかし、これに限らず、たとえばシャッターボタンの操作や、メニュー画面における設定操作、電源の投入など、様々な動作に応じてライブビュー表示の指示が行われるようにすることができる。
【００５４】
以上説明した各実施の形態においては、レンズ鏡筒が交換可能なカメラとして説明したが、これに限定されるものではなく、レンズ一体型のカメラであってもよい。
【００５５】
以上説明した各実施の形態や各種の変形例はあくまで一例であり、発明の特徴が損なわれない限り、本発明はこれらの内容に限定されない。本発明の技術的思想の範囲内で考えられるその他の態様についても、本発明の範囲内に含まれる。
【図面の簡単な説明】
【００５６】
【図１】本発明の焦点調節装置を内蔵したカメラのブロック図である。
【図２】本発明の焦点調節装置を内蔵したカメラの背面図である。
【図３】焦点検出エリアを示す図である。
【図４】本発明の第１の実施の形態においてライブビュー表示を行う際に実行される処理のフローチャートである。
【図５】合焦エリアを被写体の画像上に表示したときの表示画面例を示す図である。
【図６】非合焦であるときの表示画面例を示す図である。
【図７】焦点検出エリアの初期位置を表示したときの表示画面例を示す図である。
【図８】最適であると判断された合焦エリアのみを枠で囲って表示したときの表示画面例を示す図である。
【図９】最適であると判断された合焦エリアに対する枠と、それ以外の合焦エリアに対する枠とを異なる表示形態により表示したときの表示画面例を示す図である。
【図１０】本発明の第２の実施の形態においてライブビュー表示を行う際に実行される処理のフローチャートである。
【符号の説明】
【００５７】
１：カメラボディ、２：レンズ鏡筒、１００：制御回路、１０１：位相差ＡＦ検出素子、１０２：ＡＦ−ＣＣＤ制御部、１０３：焦点検出演算部、１０４：コントラスト演算部、１０５：撮像素子、１０６：クイックリターンミラー、１０７：サブミラー、１０８：ファインダースクリーン、１０９：ペンタプリズム、１１０：接眼レンズ、１１１：接眼部、１１２：液晶ディスプレイ、１１３：ライブビュー実行スイッチ、１１４：スイッチ群、２０１ａ〜２０１ｃ：撮影レンズ、２０２：ＡＦ駆動モータ、２０３：絞り部材
【図１】
2008185611.tif 000003
【図２】
2008185611.tif 000004
【図３】
2008185611.tif 000005
【図４】
2008185611.tif 000006
【図５】
2008185611.tif 000007
【図６】
2008185611.tif 000008
【図７】
2008185611.tif 000009
【図８】
2008185611.tif 000010
【図９】
2008185611.tif 000011
【図１０】
2008185611.tif 000012